(57)【要約】【課題】保管や運搬に際して場所を取らず、使用時には介助者による支持なしに高い安定性が得られる安全な梯子を提供する。【解決手段】平行する左右一対の縦桟２，２の間に複数段の横桟３を架設して成る梯子本体１と、該梯子本体１の幅方向両側に設けられて縦桟２に平行する閉脚状態から梯子本体１の幅方向に広がる開脚状態に開閉自在とされる左右一対の支持脚４，４と、その両支持脚４，４の開脚方向への移動を抑制する支持脚拘束手段とを備える。支持脚４，４は、それぞれ上端が縦桟２に枢着される第１脚部４１と、その第１脚部４１の長さ方向に摺動可能な第２脚部４２とを有して伸縮可能とされる。又、支持脚拘束手段は、支持脚４と梯子本体の縦桟２との間に架設される所定の引張り強度を有したフレキシブル線状部材５またはアーム状部材１５から成る。【選択図】図１
2008057287.tif 000002
【特許請求の範囲】
【請求項１】
平行する左右一対の縦桟の間に複数段の横桟を架設して成る梯子本体と、該梯子本体の幅方向両側に設けられて前記縦桟に平行する閉脚状態から前記梯子本体の幅方向に広がる開脚状態に開閉自在とされる左右一対の支持脚と、その両支持脚の開脚方向への移動を抑制する支持脚拘束手段とを備え、
前記一対の支持脚は、それぞれ上端が前記縦桟に枢着される第１脚部と、その第１脚部の長さ方向に摺動可能な第２脚部とを有して伸縮可能とされていることを特徴とする梯子。
【請求項２】
支持脚拘束手段は、支持脚と梯子本体の縦桟との間に架設される所定の引張り強度を有したフレキシブル線状部材またはアーム状部材から成る請求項１記載の梯子。
【請求項３】
支持脚の下端に、その横断面積よりも大きな底面積を有する滑り止め用のフット部が揺動自在に設けられることを特徴とする請求項１、又は２記載の梯子。
【発明の詳細な説明】
【技術分野】
【０００１】
本発明は、高所作業を行う際などに用いられる梯子に係わり、特に低所から高所に斜めに掛け渡された梯子を上り下りするとき、介助者なしに梯子本体の横転を防止できるようにした梯子に関する。
【背景技術】
【０００２】
一般に、高所作業を行う場合には、低所と高所とをつなぐ通路として梯子が広く利用されている。梯子の構造は、平行する縦桟の間に足掛け用の横桟を複数段架設して成るものが一般的であり、使用に際してはこれが低所から高所に向けて斜めに掛け渡される。
【０００３】
しかし、斜めに立て掛けられただけの梯子は極めて不安定であり、このため梯子を上り下りするに際してその下部を別の介助者が支えておいてやらないと、梯子が横転して作業者が梯子ごと転落してしまう危険性があり、実際にその種の事故が多発している。
【０００４】
そこで、梯子本体の上端部両側に鉤形のフックを設け、使用に際して当該フックを高所面の部位に係止させ得るようにしたフック付き梯子が提案され、一般に広く賞用されている（例えば、特許文献１）。
【０００５】
又、三脚式の梯子にして、その梯子本体を構成する左右一対の縦桟（前脚）を下方に向かって幅が漸次拡大する形態としたものが知られている（例えば、特許文献２）。
【０００６】
【特許文献１】実開平７−１２９８号公報（段落０００４〜０００５、図２）
【０００７】
【特許文献２】実開平７−３２１９８号公報（図１、図５〜図７）
【発明の開示】
【発明が解決しようとする課題】
【０００８】
しかしながら、特許文献１のように梯子本体の上端部両側に鉤形のフックを設けたものでは、そのフックを高所面の部位に係止せしめて安定性を上げることができるものの、梯子の上り下りによる振動などの影響でフックが係止部分から不意に外れてしまう危険性があるほか、上部が丸みを帯びたタンク等のようにフックを係止せしめる部位がないところでの使用はフックの機能を発揮できず、このため梯子を上り下りするときには介助者による梯子下部の支持を必要とする。
【０００９】
一方、特許文献２のように梯子本体の幅が下方に向かって漸次広かる形態のものでは、下段側における足掛け用横桟の長さが必要以上に長くなるため材料の無駄が多く、しかも当該梯子の保管や運搬に際して場所を取るという欠点がある。
【００１０】
本発明は以上のような事情に鑑みて成されたものであり、その目的は保管や運搬に際して場所を取らず、使用時には介助者による支持なしに高い安定性が得られる安全な梯子を提供することにある。
【課題を解決するための手段】
【００１１】
上記目的を達成するため、本発明に係る梯子は、平行する左右一対の縦桟の間に複数段の横桟を架設して成る梯子本体と、該梯子本体の幅方向両側に設けられて前記縦桟に平行する閉脚状態から前記梯子本体の幅方向に広がる開脚状態に開閉自在とされる左右一対の支持脚と、その両支持脚の開脚方向への移動を抑制する支持脚拘束手段とを備え、
前記一対の支持脚は、それぞれ上端が前記縦桟に枢着される第１脚部と、その第１脚部の長さ方向に摺動可能な第２脚部とを有して伸縮可能とされていることを特徴とする。
【００１２】
加えて、支持脚拘束手段は、支持脚と梯子本体の縦桟との間に架設される所定の引張り強度を有したフレキシブル線状部材またはアーム状部材から成ることを特徴とする。
【００１３】
又、上記のような構成の梯子において、支持脚の下端に、その横断面積よりも大きな底面積を有する滑り止め用のフット部が揺動自在に設けられることを特徴とする。
【発明の効果】
【００１４】
本発明によれば、梯子本体の幅方向両側に左右一対の支持脚が設けられ、その両支持脚が梯子本体の縦桟に平行する閉脚状態から梯子本体の幅方向に広がる開脚状態に開閉自在とされる構成であるから、使用に際して一対の支持脚を広げて介助者による支持なしに高い安定性を得ることができ、保管時や運搬時には一対の支持脚を閉脚状態にして場所を取らない。
【００１５】
又、両支持脚の開脚方向への移動を抑制する支持脚拘束手段を備えていることから、使用中の梯子本体に横荷重が作用したときに同方向の支持脚の開度が広がって安定性を失ってしまうことがなく、しかも一対の支持脚は伸縮可能とされることから、開脚開度の大小に拘らず支持脚の下端を低所面に密着させて梯子本体を左右両側から確りと支持することができる。
【００１６】
加えて、支持脚と梯子本体の縦桟との間に架設される所定の引張り強度を有したフレキシブル線状部材またはアーム状部材により支持脚拘束手段が構成されることから、支持脚と縦桟のいずれか一方にフレキシブル線状部材またはアーム状部材の一端部を接続して、他方にフレキシブル線状部材またはアーム状部材の他端部を係止するフックなどを設けるだけで支持脚が開脚方向へ移動するのを抑制でき、全体を簡易構造にすることができる。
【００１７】
又、支持脚の下端に、その横断面積よりも大きな底面積を有する滑り止め用のフット部が揺動自在に設けられることから、使用時の安定性が更に上がって梯子本体の横転を確実に防止できる。
【発明を実施するための最良の形態】
【００１８】
以下、図面に基づき本発明を詳しく説明する。図１は本発明に係る梯子を部分的に破断して示した正面概略図である。図１において、１は所定の長さを有する梯子本体であり、この梯子本体１は、平行する左右一対の縦桟２，２の間に複数段の足掛け用の横桟３を架設して構成される。縦桟２は、例えばアルミニウムの押出成形等により形成されるＣ形材（断面コ字形）で、その両者２，２は上記の如く互いに平行であり、その間隔は概ね４０ｃｍ程度に設定される。
【００１９】
一方、横桟３は、例えばアルミニウムの押出成形等により形成される変形円柱材（断面略Ｄ形）で、それらの両端は溶接等により縦桟２，２の内側面に固定される。尚、各横桟３は縦桟２の長さ方向に等間隔に設けられるが、それら横桟３の外周には必要に応じてその長さ方向に沿う滑り防止用の溝が形成される。
【００２０】
特に、本発明に係る梯子によれば、梯子本体１の下部側でその幅方向両側に左右一対の支持脚４，４が設けられる構成とされる。図１において、２Ａは梯子本体１の縦桟２の外側面に形成されるブラケットで、そのブラケット２Ａに支持脚４の上端がヒンジピン２Ｂにて枢着されている。そして、一対の支持脚４，４は、ヒンジピン２Ｂを中心に、図１の実線で示されるよう縦桟２に平行する閉脚状態から梯子本体１の幅方向に広がる開脚状態に開閉自在とされる。
【００２１】
図２は、支持脚４，４を開脚した状態を示す。図２において、５は支持脚拘束手段を構成するフレキシブル線状部材（本例において金属製の鎖）であり、このフレキシブル線状部材５は緊張状態で支持脚４と縦桟２との間に架設される。尚、フレキシブル線状部材５の一端は支持脚４の外周部に接続され、その他端側が縦桟２に固設した係止部６（本例において鉤形のフック）に係止されるようになっているが、その逆にフレキシブル線状部材５の一端を縦桟２に接続して、その他端側が支持脚４の部位に切り離し可能に係止されるようにしてもよい。
【００２２】
又、図２から明らかなように、支持脚４，４はそれぞれ第１脚部４１と第２脚部４２とで構成される。第１脚部４１はその上端が縦桟２の部位（ブラケット２Ａ）に枢着され、第２脚部４２の下端には支持脚４の開閉方向と同方向に揺動自在なフット部４３が設けられる。
【００２３】
尚、第２脚部４２の下部側にはロックピン４２Ａが突設されると共に、縦桟２にはロックピン４２Ａに対応する揺動自在なロックレバー７が設けられ、閉脚時（支持脚４を閉じたとき）には図１のようにロックレバー７をロックピン４２Ａに係止して支持脚４，４を閉じた状態に維持できるようになっており、これにより梯子本体１の運搬時などにおいて支持脚４，４のバタツキを防止できるようになっているが、ロックレバー７を省略してフレキシブル線状部材５をロックレバー７の代用とすることもでき、それらに代えて支持脚４の揺動支点を成すヒンジピン２Ｂに支持脚４のバタツキを抑制し得る回転抵抗力を付与するようにしてもよい。
【００２４】
ここで、第２脚部４２は、第１脚部４１内に差し込まれて該第１脚部４１の長さ方向に摺動可能とされており、これにより支持脚４が全体として伸縮可能となっている。
【００２５】
特に、図３に示すように、支持脚４の第１脚部４１にはロック孔４１Ａが穿設され、そのロック孔４１Ａに対応して第２脚部４２にはその長さ方向に沿って複数のロック孔４２Ｂが等間隔に穿設される。そして、ロック孔４２Ｂの一つをロック孔４１Ａに対向させた位置で第１脚部４１に対して第２脚部４２を固定し、支持脚４の伸縮動作を抑止できるようになっている。
【００２６】
図４のように、相対向されたロック孔４１Ａ，４２Ｂには鍔付のロックボルト４４が挿入され、その先端に抜け止め用の割りピン４５が装着されるようになっている。
【００２７】
図５で明らかなように、割りピン４５はその一端部がロックボルト４４に貫通され、その他端側がロックボルト４４の外周に弾力をもって密着される。尚、ロックボルト４４を挿入するロック孔４１Ａ，４２Ｂを有した支持脚４によれば、その長さを段階的に切り換えることができるが、第１脚部４１に図示せぬカムレバー（偏心ノッチレバー方式）を設け、その回転操作によるカム部の押圧力で第２脚部４２が第１脚部４１に締付固定される構成にしてもよく、その種の構成では支持脚４の長さを無段階に調整することができる。
【００２８】
次に、図６は支持脚４の下端に設けられるフット部４３を示す。この図で明らかなように、フット部４３は、扁平な座板４３Ａとその上面に傾斜状に固着される前後一対の連結板４３Ｂから成り、その連結板４３Ｂが第２脚部４２の下端にピン４６にて枢着されている。又、座板４３Ａは支持脚４の横断面積よりも大きな底面積を有しており、その底面にはゴム板４３Ｃが固着されている。
【００２９】
ここで、以上のように構成される梯子の使用例と作用を説明すれば、係る梯子は高所作業等を行うに当り、低所から高所に傾斜状に立て掛けられる。例えば、図７に示すようなタンク１０上で作業を行う場合、地上からタンク１０上まで梯子本体１を掛け渡す。タンク１０の上部は丸みを帯びているので、梯子本体１の上端部をタンク１０の上部に接触させただけでは梯子本体１が安定せず、これを上り下りする際に当該梯子本体１が横転してしまう危険性がある。
【００３０】
そこで、図２のように左右一対の支持脚４，４を広げて縦桟２との間にフレキシブル線状部材５を緊張状態に架設し、しかして支持脚４，４の開脚方向への移動を抑制して初期の開脚開度が維持されるようにする一方、フット部４３が着地するまで両支持脚４，４を伸長せしめた後、図４のようにロック孔４１Ａ，４２Ｂにロックボルト４４を挿入して支持脚４，４の伸縮動作を抑止する。
【００３１】
これによれば、梯子本体１の安定性が増し、梯子本体１を上り下りする際に横荷重が作用しても、支持脚４，４が突っ張って横荷重に抵抗するために梯子本体１が横転せず、介助者による梯子本体１の支持なしにその上り下りを安全に行うことができる。
【００３２】
以上、本発明について説明したが、係る梯子は以上のような構成に限らない。例えば、支持脚拘束手段を構成するフレキシブル線状部材５に所定の長さを有するワイヤを利用することもできる。又、フレキシブル線状部材５に代えて、図８のようなアーム状部材１５（掛け金）を縦桟２に設けるようにしてもよい。要するに、支持脚拘束手段は、支持脚４を開脚方向に移動させる力に抵抗するような引張強度を有し、支持脚４が初期開度に維持されるよう支持脚４と縦桟２との間に架設されるものであればよい。尚、図８において、アーム状部材１５の一端は縦桟２に枢着されると共に、該アーム状部材１５にはその長さ方向に沿って複数の切欠部１５Ａが等間隔に形成され、支持脚４にはその各切欠部１５Ａに対応してその係止用突起４１Ｂが設けられる。
【００３３】
一方、上記例において、フット部４３は支持脚４の開度に関係なくその底面部が地面に密着するよう支持脚４の開閉方向に揺動自在としたが、図９のように支持脚４の下端にボールジョイント４７を介してフット部４３を設ければ、梯子本体１の立て掛け角度に拘わらずフット部４３の底面全体を地面に密着させることができる。尚、図９のようなボールジョイント４７に代えて、ユニバーサルジョイントを用いることもできる。
【図面の簡単な説明】
【００３４】
【図１】本発明に係る梯子を部分的に破断して示した正面図（閉脚状態）
【図２】支持脚を広げた状態を示す説明図
【図３】支持脚の部分拡大図
【図４】図３のＸ−Ｘ拡大断面図
【図５】第１脚部と第２脚部の固定部分を示す拡大図
【図６】支持脚の下端部を示す部分拡大図
【図７】本発明に係る梯子の使用態様を示す側面図
【図８】支持脚拘束手段の変更例を示す部分拡大図
【図９】フット部の変更例を示す部分拡大図
【符号の説明】
【００３５】
１  梯子本体
２  縦桟
３  横桟
４  支持脚
４１  第１脚部
４２  第２脚部
４３  フット部
４４  ロックボルト
５  フレキシブル線状部材
６  係止部
７  ロックレバー
【図１】
2008057287.tif 000003
【図２】
2008057287.tif 000004
【図３】
2008057287.tif 000005
【図４】
2008057287.tif 000006
【図５】
2008057287.tif 000007
【図６】
2008057287.tif 000008
【図７】
2008057287.tif 000009
【図８】
2008057287.tif 000010
【図９】
2008057287.tif 000011